(57)【要約】  １つの例示的な実施形態は、ウェルネスプロバイダのリストを雇用主に提示することを含む方法に関し、このリストは、それぞれウェルネスサービスを提案し、雇用主又は雇用主の従業員のジオロケーションに地理的に近接した領域内に位置する、ウェルネスプロバイダを特定する。本方法は、雇用主によって、雇用主ウェルネスプログラムの一部を形成することが認可されたウェルネスプロバイダの部分組を受信するステップと、認可されたウェルネスプロバイダの部分組を、従業員及び少なくとも１つの認可されたウェルネスプロバイダに提示するステップとを更に含む。【選択図】図１
2016500865.tif 000002
【特許請求の範囲】
【請求項１】
１つ以上のコンピュータプロセッサにおいて実行される少なくとも１つのモジュールを含むシステムであって、該少なくとも１つのモジュールは、
ウェルネスプロバイダのリストを雇用主に提示し、ここで、該リストは、それぞれウェルネスサービスを提案し、前記雇用主又は該雇用主の従業員のジオロケーションに地理的に近接した領域内に位置する、ウェルネスプロバイダを特定し、
前記雇用主によって、雇用主ウェルネスプログラムの一部を形成することが認可された前記ウェルネスプロバイダの部分組を受信し、
前記認可されたウェルネスプロバイダの部分組を、前記従業員及び少なくとも１つの認可されたウェルネスプロバイダに提示するものである、システム。
【請求項２】
前記少なくとも１つのモジュールは、前記雇用主又は前記従業員がウェブサイト又はモバイルインタフェースを介して前記ウェルネスサービスの位置を特定するか、予約を行うか、又は支払いを行うことを更に可能にする、請求項１に記載のシステム。
【請求項３】
前記少なくとも１つのモジュールは、前記雇用主又は前記従業員が、ウェブサイト又はモバイルインタフェースを介して、前記雇用主又は前記従業員の前記ジオロケーションを入力し、前記雇用主又は前記従業員の前記ジオロケーションに地理的に近接して位置するウェルネスプロバイダのリストを特定することを更に可能にする、請求項１に記載のシステム。
【請求項４】
前記少なくとも１つのモジュールは、前記認可されたウェルネスプロバイダのうちの１つ以上のものが、前記従業員による前記関連するウェルネスサービスの使用を前記雇用主に報告するのを更に容易にする、請求項１に記載のシステム。
【請求項５】
命令を含む機械可読媒体であって、該命令は機械によって実行されると、該機械に対し、
ウェルネスプロバイダのリストを雇用主に提示する動作であって、該リストは、それぞれウェルネスサービスを提案し、前記雇用主又は該雇用主の従業員のジオロケーションに地理的に近接した領域内に位置する、ウェルネスプロバイダを特定する、提示する動作と、
前記雇用主によって、雇用主ウェルネスプログラムの一部を形成することが認可された前記ウェルネスプロバイダの部分組を受信する動作と、
前記認可されたウェルネスプロバイダの部分組を、前記従業員及び少なくとも１つの認可されたウェルネスプロバイダに提示する動作と
を実行させるものである、機械可読媒体。
【請求項６】
前記動作は、前記雇用主又は前記従業員がウェブサイト又はモバイルインタフェースを介して前記ウェルネスサービスの位置を特定するか、予約を行うか、又は支払いを行うことを可能にすることを更に含む、請求項５に記載の機械可読媒体。
【請求項７】
前記動作は、前記雇用主又は前記従業員が、ウェブサイト又はモバイルインタフェースを介して、前記雇用主又は前記従業員の前記ジオロケーションを入力し、前記雇用主又は前記従業員の前記ジオロケーションに地理的に近接して位置するウェルネスプロバイダのリストを特定することを可能にすることを更に含む、請求項５に記載の機械可読媒体。
【請求項８】
前記動作は、前記認可されたウェルネスプロバイダのうちの１つ以上のものが、前記従業員による前記関連するウェルネスサービスの使用を前記雇用主に報告するのを容易にすることを更に含む、請求項５に記載の機械可読媒体。
【請求項９】
ウェルネスプロバイダのリストを雇用主に提示するステップであって、該リストは、それぞれウェルネスサービスを提案し、前記雇用主又は該雇用主の従業員のジオロケーションに地理的に近接した領域内に位置する、ウェルネスプロバイダを特定するものである、提示するステップと、
前記雇用主によって、雇用主ウェルネスプログラムの一部を形成することが認可された前記ウェルネスプロバイダの部分組を受信するステップと、
前記認可されたウェルネスプロバイダの部分組を、前記従業員及び少なくとも１つの認可されたウェルネスプロバイダに提示するステップと
を含んでなる方法。
【請求項１０】
１つ以上のコンピュータプロセッサにおいて実行される少なくとも１つのモジュールを含むシステムであって、該少なくとも１つのモジュールは、
ウェルネスサービスを提案し、
雇用主に提供されるウェルネスプロバイダのリストに登録し、なお、該リストは、前記雇用主又は該雇用主の従業員のジオロケーションに地理的に近接した領域内に位置するウェルネスプロバイダを特定し、
前記雇用主から、ウェルネスプロバイダとして従業員ウェルネスプログラムの一部を形成することの認可を受け取り、
前記雇用主に、前記従業員による前記ウェルネスサービスの使用を報告するものである、システム。
【請求項１１】
前記少なくとも１つのモジュールは、前記雇用主又は前記従業員がウェブサイト又はモバイルインタフェースを介して前記ウェルネスサービスの位置を特定するか、予約を行うか、又は支払いを行うことを更に可能にする、請求項１０に記載のシステム。
【請求項１２】
前記少なくとも１つのモジュールは、前記従業員による前記ウェルネスサービスの使用の証拠を提供するのを更に容易にする、請求項１０に記載のシステム。
【請求項１３】
前記少なくとも１つのモジュールは、前記雇用主及び健康保険業者のうちの１つ以上のものに対し、重要業績評価指標に関する情報を更に提供する、請求項１０に記載のシステム。
【請求項１４】
前記少なくとも１つのモジュールは、前記従業員による前記ウェルネスサービスの使用に基づいて、前記雇用主に対し生じる投資利益率に関する情報を前記雇用主に提供するのを更に容易にする、請求項１０に記載のシステム。
【請求項１５】
命令を含む、ウェルネスプログラムのための機械可読媒体であって、該命令は機械によって実行されると、該機械に対し、
ウェルネスサービスを提案する動作と、
雇用主に提供されるウェルネスプロバイダのリストに登録する動作であって、該リストは、前記雇用主又は該雇用主の従業員のジオロケーションに地理的に近接した領域内に位置するウェルネスプロバイダを特定する、登録する動作と、
前記雇用主から、ウェルネスプロバイダとして従業員ウェルネスプログラムの一部を形成することの認可を受け取る動作と、
前記雇用主に、前記従業員による前記ウェルネスサービスの使用を報告する動作と
を実行させるものである、ウェルネスプログラムのための機械可読媒体。
【請求項１６】
前記動作は、前記雇用主又は前記従業員がウェブサイト又はモバイルインタフェースを介して前記ウェルネスサービスの位置を特定するか、予約を行うか、又は支払いを行うことを可能にすることを更に含む、請求項１５に記載の機械可読媒体。
【請求項１７】
前記動作は、前記従業員による前記ウェルネスサービスの使用の証拠を提供するのを容易にすることを更に含む、請求項１５に記載の機械可読媒体。
【請求項１８】
前記動作は、前記雇用主及び健康保険業者のうちの１つ以上のものに対し、重要業績評価指標に関する情報を提供することを更に含む、請求項１５に記載の機械可読媒体。
【請求項１９】
前記動作は、前記従業員による前記ウェルネスサービスの使用に基づいて、前記雇用主に対し生じる投資利益率に関する情報を前記雇用主に提供することを更に含む、請求項１５に記載の機械可読媒体。
【請求項２０】
ウェルネスサービスを提案するステップと、
雇用主に提供されるウェルネスプロバイダのリストに登録するステップであって、該リストは、前記雇用主又は該雇用主の従業員のジオロケーションに地理的に近接した領域内に位置するウェルネスプロバイダを特定する、登録するステップと、
前記雇用主から、ウェルネスプロバイダとして従業員ウェルネスプログラムの一部を形成することの認可を受け取るステップと、
前記雇用主に、前記従業員による前記ウェルネスサービスの使用を報告するステップと
を含んでなる方法。
【請求項２１】
１つ以上のコンピュータプロセッサにおいて実行される少なくとも１つのモジュールを含むシステムであって、該少なくとも１つのモジュールは、
ウェルネスプロバイダのリストを雇用主に提示し、なお、該リストは、前記雇用主又は該雇用主の従業員のジオロケーションに地理的に近接した領域内に位置するウェルネスプロバイダを特定し、
前記雇用主によって、雇用主ウェルネスプログラムの一部を形成することが認可された前記ウェルネスプロバイダの部分組を受信し、なお、該ウェルネスプログラムは、前記認可されたウェルネスプロバイダのうちの１つ以上のものによって提供されるサービスの従業員による使用のインセンティブを含み、
前記認可されたウェルネスプロバイダの部分組を、前記従業員及び少なくとも１つの認可されたウェルネスプロバイダに提示するものである、システム。
【請求項２２】
前記健康効果プログラムは、前記認可されたウェルネスプロバイダのうちの１つ以上のものによって提供される前記ウェルネスサービスの前記従業員による使用のインセンティブを含む、請求項２１に記載のシステム。
【請求項２３】
前記少なくとも１つのモジュールは、前記従業員がウェブサイト又はモバイルインタフェースを介して前記ウェルネスサービスの位置を特定するか、予約を行うか、又は支払いを行うのを更に容易にする、請求項２１に記載のシステム。
【請求項２４】
前記少なくとも１つのモジュールは、ウェブサイト又はモバイルインタフェースを介して前記ジオロケーションの入力を更に容易にし、前記地理的に近接した領域内に位置するウェルネスプロバイダのリストを特定する、請求項２１に記載のシステム。
【請求項２５】
前記少なくとも１つのモジュールは、前記認可されたウェルネスプロバイダのうちの１つ以上のものから、前記従業員による前記関連するウェルネスサービスの使用に関する報告を更に受信する、請求項２１に記載のシステム。
【請求項２６】
前記少なくとも１つのモジュールは、前記従業員による前記関連するウェルネスサービスの使用に対し、前記認可されたウェルネスプロバイダのうちの１つ以上のものに更に還付を行う、請求項２１に記載のシステム。
【請求項２７】
前記少なくとも１つのモジュールは、前記健康効果プログラムにおける前記従業員による参加の証拠を健康保険業者に更に提供する、請求項２１に記載のシステム。
【請求項２８】
前記少なくとも１つのモジュールは更に、前記健康効果プログラムにおける前記従業員による参加に対する役割報酬として前記健康保険業者からのインセンティブ又は還付を受け取る、請求項２１に記載のシステム。
【請求項２９】
前記少なくとも１つのモジュールは、前記認可されたウェルネスプロバイダのうちの１つ以上のものによって提供される前記ウェルネスサービスの重要業績評価指標に関する情報を更に受信する、請求項２１に記載のシステム。
【請求項３０】
前記少なくとも１つのモジュールは、前記健康効果プログラムにおける前記従業員による参加に基づいて投資利益率に関する情報を更に受信する、請求項２１に記載のシステム。
【請求項３１】
命令を含む機械可読媒体であって、該命令は機械によって実行されると、該機械に対して、
ウェルネスプロバイダのリストを雇用主に提示する動作であって、該リストは、前記雇用主又は該雇用主の従業員のジオロケーションに地理的に近接した領域内に位置するウェルネスプロバイダを特定する、提示する動作と、
前記雇用主によって、雇用主ウェルネスプログラムの一部を形成することが認可された前記ウェルネスプロバイダの部分組を受信する動作であって、該ウェルネスプログラムは、前記認可されたウェルネスプロバイダのうちの１つ以上のものによって提供されるサービスの従業員による使用のインセンティブを含む、受信する動作と、
前記認可されたウェルネスプロバイダの部分組を、前記従業員及び少なくとも１つの認可されたウェルネスプロバイダに提示する動作と
を実行させるものである、機械可読媒体。
【請求項３２】
前記健康効果プログラムは、前記認可されたウェルネスプロバイダのうちの１つ以上のものによって提供される前記ウェルネスサービスの前記従業員による使用のインセンティブを含む、請求項３１に記載の機械可読媒体。
【請求項３３】
前記動作は、前記従業員がウェブサイト又はモバイルインタフェースを介して前記ウェルネスサービスの位置を特定するか、予約を行うか、又は支払いを行うのを容易にすることを更に含む、請求項３１に記載の機械可読媒体。
【請求項３４】
前記動作は、ウェブサイト又はモバイルインタフェースを介して前記ジオロケーションを入力し、前記地理的に近接した領域内に位置するウェルネスプロバイダのリストを特定することを更に含む、請求項３１に記載の機械可読媒体。
【請求項３５】
前記動作は、前記認可されたウェルネスプロバイダのうちの１つ以上のものから、前記従業員による前記関連するウェルネスサービスの使用に関する報告を受信することを更に含む、請求項３１に記載の機械可読媒体。
【請求項３６】
前記動作は、前記従業員による前記関連するウェルネスサービスの使用に対し、前記認可されたウェルネスプロバイダのうちの１つ以上のものに還付を行うことを更に含む、請求項３１に記載の機械可読媒体。
【請求項３７】
前記動作は、前記健康効果プログラムにおける前記従業員による参加の証拠を健康保険業者に提供することを更に含む、請求項３１に記載の機械可読媒体。
【請求項３８】
前記動作は、前記健康効果プログラムにおける前記従業員による参加に対する役割報酬として前記健康保険業者からのインセンティブ又は還付を受け取ることを更に含む、請求項３１に記載の機械可読媒体。
【請求項３９】
前記動作は、前記認可されたウェルネスプロバイダのうちの１つ以上のものによって提供される前記ウェルネスサービスの重要業績評価指標に関する情報を受信することを更に含む、請求項３１に記載の機械可読媒体。
【請求項４０】
前記動作は、前記健康効果プログラムにおける前記従業員による参加に基づいて投資利益率に関する情報を受信することを更に含む、請求項３１に記載の機械可読媒体。
【請求項４１】
ウェルネスプログラム事業者からウェルネスプロバイダのリストを受信するステップであって、該リストは、それぞれウェルネスサービスを提案し、所定のジオロケーションに地理的に近接した領域内に位置する、ウェルネスプロバイダを特定する、受信するステップと、
前記ウェルネスプロバイダの部分組に、従業員健康効果プログラムの一部を形成することを認可するステップと、
前記認可されたウェルネスプロバイダの部分組を従業員に提示するステップと
を含んでなる方法。
【発明の詳細な説明】
【技術分野】
【０００１】
本出願は、包括的には、管理されたウェルネスプログラムに関し、より詳細には、幾つかの実施形態において、従業員のインセンティブと、医療費及び関連する保険料の低減とを可能にする、管理されたウェルネスシステムに関する。
【０００２】
［優先権の主張］
本特許出願は、２０１２年１０月８日に出願された米国仮特許出願第６１／７１１，０５７号（代理人整理番号３７１７．００２ＰＲＶ）の優先権の利益を主張する。この仮特許出願は引用することによりその全体が本明細書の一部をなすものとする。
【０００３】
［著作権表示］
本特許文献の開示の一部は、著作権保護の対象となる題材を含む。本著作権所有者は、本特許文献又は本特許開示が特許商標庁の特許包袋又は記録に掲載されるとおりに任意の者により複写複製されることに何ら異存はないが、それ以外ではいかなる著作権権利も全て留保する。以下の著作権表示は、後述のソフトウェア及びデータ並びに本文献の一部をなす図面におけるソフトウェア及びデータに適用される。Copyright 2012, MINDBODY, INC., all Rights Reserved.
【背景技術】
【０００４】
雇用主は時として、包括的な福利厚生の一部として、及び望ましい行為を奨励するために、自身の従業員に報酬又はボーナスを与える。福利厚生の一部は、医療給付、例えば健康保険提供機関とのメンバシップ、及び保険料の支払い支援を含みうる。従業員の医療費は、企業金融に対し大きな影響を有する可能性がある。
【発明の概要】
【０００５】
従業員に、自身の健康又はウェルネスに積極的に関与させることにより、従業員の満足度及び健康体験の質を高める一方で、そのケアを提供するコストを減少させることができる。患者が医療的ケア及びウェルネスサービスのアポイントメントを要求しスケジューリングするためのより優れた制御及びより容易なアクセスを提供することによって、患者の満足度を劇的に改善することができる。より優れた制御を可能にし、雇用主による、健康又はウェルネスのサービスプロバイダの選択を容易にすることによって、雇用主が従業員のインセンティブを与え、コストを低減することを可能にすることができる。このため、相互利益は、従業員が自身の健康及びウェルネスに注意することに関与を高める一方で、雇用主の医療費が低減し、関連する健康保険料が下がることを含みうる。
【０００６】
実施形態の例では、ウェルネスプログラムのためのシステムが、少なくとも１つのモジュールであって、１つ以上のコンピュータプロセッサにおいて実行され、ウェルネスプロバイダのリストを雇用主に提示し、なお、該リストは、それぞれウェルネスサービスを提案し、前記雇用主又は該雇用主の従業員のジオロケーションに地理的に近接した領域内に位置する、ウェルネスプロバイダを特定し、前記雇用主によって、雇用主ウェルネスプログラムの一部を形成することが認可された前記ウェルネスプロバイダの部分組を受信し、前記認可されたウェルネスプロバイダの部分組を、前記従業員及び少なくとも１つの認可されたウェルネスプロバイダに提示する、少なくとも１つのモジュールを備える。
【０００７】
別の実施形態の例では、ウェルネスプログラムのための機械可読媒体が命令を含み、該命令は機械によって実行されると、該機械に、ウェルネスプロバイダのリストを雇用主に提示する動作であって、該リストは、それぞれウェルネスサービスを提案し、前記雇用主又は該雇用主の従業員のジオロケーションに地理的に近接した領域内に位置する、ウェルネスプロバイダを特定する、提示する動作と、前記雇用主によって、雇用主ウェルネスプログラムの一部を形成することが認可された前記ウェルネスプロバイダの部分組を受信する動作と、前記認可されたウェルネスプロバイダの部分組を、前記従業員及び少なくとも１つの認可されたウェルネスプロバイダに提示する動作とを実行させる。
【０００８】
実施形態の例では、システムが、少なくとも１つのモジュールであって、１つ以上のコンピュータプロセッサにおいて実行され、ウェルネスプロバイダのリストを雇用主に提示し、なお、該リストは、前記雇用主又は該雇用主の従業員のジオロケーションに地理的に近接した領域内に位置するウェルネスプロバイダを特定し、前記雇用主によって、雇用主ウェルネスプログラムの一部を形成することが認可された前記ウェルネスプロバイダの部分組を受信し、なお、該ウェルネスプログラムは、前記認可されたウェルネスプロバイダのうちの１つ以上のものによって提供されるサービスの従業員による使用のインセンティブを含み、前記認可されたウェルネスプロバイダの部分組を、前記従業員及び少なくとも１つの認可されたウェルネスプロバイダに提示する、少なくとも１つのモジュールを備える。
【０００９】
別の実施形態の例では、機械可読媒体が命令を含み、該命令は機械によって実行されると、該機械に、ウェルネスプロバイダのリストを雇用主に提示する動作であって、該リストは、前記雇用主又は該雇用主の従業員のジオロケーションに地理的に近接した領域内に位置するウェルネスプロバイダを特定する、提示する動作と、前記雇用主によって、雇用主ウェルネスプログラムの一部を形成することが認可された前記ウェルネスプロバイダの部分組を受信する動作であって、該ウェルネスプログラムは、前記認可されたウェルネスプロバイダのうちの１つ以上のものによって提供されるサービスの従業員による使用のインセンティブを含む、受信する動作と、前記認可されたウェルネスプロバイダの部分組を、前記従業員及び少なくとも１つの認可されたウェルネスプロバイダに提示する動作とを実行させる。
【００１０】
実施形態の例では、システムが、少なくとも１つのモジュールであって、１つ以上のコンピュータプロセッサにおいて実行され、ウェルネスプロバイダのリストを雇用主に提示し、なお、該リストは、前記雇用主又は該雇用主の従業員のジオロケーションに地理的に近接した領域内に位置するウェルネスプロバイダを特定し、前記雇用主によって、雇用主ウェルネスプログラムの一部を形成することが認可された前記ウェルネスプロバイダの部分組を受信し、なお、該ウェルネスプログラムは、前記認可されたウェルネスプロバイダのうちの１つ以上のものによって提供されるサービスの従業員による使用のインセンティブを含み、前記認可されたウェルネスプロバイダの部分組を、前記従業員及び少なくとも１つの認可されたウェルネスプロバイダに提示する、少なくとも１つのモジュールを備える。
【００１１】
別の実施形態の例では、機械可読媒体が命令を含み、該命令は機械によって実行されると、該機械に、ウェルネスプロバイダのリストを雇用主に提示する動作であって、該リストは、前記雇用主又は該雇用主の従業員のジオロケーションに地理的に近接した領域内に位置するウェルネスプロバイダを特定する、提示する動作と、前記雇用主によって、雇用主ウェルネスプログラムの一部を形成することが認可された前記ウェルネスプロバイダの部分組を受信する動作であって、該ウェルネスプログラムは、前記認可されたウェルネスプロバイダのうちの１つ以上のものによって提供されるサービスの従業員による使用のインセンティブを含む、受信する動作と、前記認可されたウェルネスプロバイダの部分組を、前記従業員及び少なくとも１つの認可されたウェルネスプロバイダに提示する動作とを実行させる。
【００１２】
（例）
本明細書において開示される装置及び方法をより良好に説明するために、ここで例の非限定的なリストを提供する。
【００１３】
例１．ウェルネスプロバイダのリストを雇用主に提示するステップであって、リストは、それぞれウェルネスサービスを提案し、雇用主又は雇用主の従業員のジオロケーションに地理的に近接した領域内に位置する、ウェルネスプロバイダを特定する、提示するステップと、雇用主によって、雇用主ウェルネスプログラムの一部を形成することが認可されたウェルネスプロバイダの部分組を受信するステップと、認可されたウェルネスプロバイダの部分組を、従業員及び少なくとも１つの認可されたウェルネスプロバイダに提示するステップとを含んでなる方法。
【００１４】
例２．ウェルネスプログラムは、認可されたウェルネスプロバイダのうちの１つ以上のものによって提供されるウェルネスサービスの従業員による使用のインセンティブを含む、例１の方法。
【００１５】
例３．雇用主又は従業員がウェブサイト又はモバイルインタフェースを介してウェルネスサービスの位置を特定するか、予約を行うか、又は支払いを行うのを可能にすることを更に含む、例１又は例２の方法。
【００１６】
例４．ウェルネスプロバイダのリストを雇用主に提示するステップは、雇用主にウェブサイト又はモバイルインタフェースを参照させ、雇用主がウェブサイト又はモバイルインタフェースを介して雇用主又は従業員のジオロケーションを入力して、雇用主又は従業員のジオロケーションに地理的に近接して位置するウェルネスプロバイダのリストを特定することを可能にすることを含む、例１〜例３のいずれか１つの方法。
【００１７】
例５．認可されたウェルネスプロバイダのうちの１つ以上のものが、従業員による関連するウェルネスサービスの使用を雇用主に報告するのを容易にすることを更に含む、例１〜例４のうちのいずれか１つの方法。
【００１８】
例６．従業員による関連するウェルネスサービスの使用に対し、雇用主によって認可されたウェルネスプロバイダのうちの１つ以上のものに行われる還付を容易にすることを更に含む、例１〜例５のうちのいずれか１つの方法。
【００１９】
例７．ウェルネスプログラムにおける従業員による参加の証拠を健康保険業者に提供するのを容易にすることを更に含む、例１〜６のうちのいずれか１つの方法。
【００２０】
例８．ウェルネスプログラムにおける従業員による参加に対する役割報酬（part consideration）として健康保険業者によって行われるインセンティブ又は還付を雇用主が受け取るのを容易にすることを更に含む、例７の方法。
【００２１】
例９．認可されたウェルネスプロバイダのうちの１つ以上のものによって提供されるウェルネスサービスに関連する重要業績評価指標に関する情報を雇用主又は従業員に提供することを更に含む、例１〜例８のうちのいずれか１つの方法。
【００２２】
例１０．ウェルネスプログラムにおける従業員による参加に基づいて投資利益率に関する情報を雇用主に提供することを更に含む、例１〜例９のうちのいずれか１つの方法。
【００２３】
例１１．１つ以上のコンピュータプロセッサにおいて実行される少なくとも１つのモジュールを含むシステムであって、少なくとも１つのモジュールは、ウェルネスプロバイダのリストを雇用主に提示し、ここで、リストは、それぞれウェルネスサービスを提案し、雇用主又は雇用主の従業員のジオロケーションに地理的に近接した領域内に位置する、ウェルネスプロバイダを特定し、雇用主によって、雇用主ウェルネスプログラムの一部を形成することが認可されたウェルネスプロバイダの部分組を受信し、認可されたウェルネスプロバイダの部分組を、従業員及び少なくとも１つの認可されたウェルネスプロバイダに提示するものである、システム。
【００２４】
例１２．少なくとも１つのモジュールは、雇用主又は従業員がウェブサイト又はモバイルインタフェースを介してウェルネスサービスの位置を特定するか、予約を行うか、又は支払いを行うことを更に可能にする、例１１のシステム。
【００２５】
例１３．少なくとも１つのモジュールは、雇用主又は従業員が、ウェブサイト又はモバイルインタフェースを介して、雇用主又は従業員のジオロケーションを入力し、雇用主又は従業員のジオロケーションに地理的に近接して位置するウェルネスプロバイダのリストを特定することを更に可能にする、例１１又は例１２のシステム。
【００２６】
例１４．少なくとも１つのモジュールは、認可されたウェルネスプロバイダのうちの１つ以上のものが、従業員による関連するウェルネスサービスの使用を雇用主に報告するのを更に容易にする、例１１〜例１３のいずれか１つのシステム。
【００２７】
例１５．命令を含む機械可読媒体であって、命令は機械によって実行されると、機械に、ウェルネスプロバイダのリストを雇用主に提示する動作であって、リストは、それぞれウェルネスサービスを提案し、雇用主又は雇用主の従業員のジオロケーションに地理的に近接した領域内に位置する、ウェルネスプロバイダを特定する、提示する動作と、雇用主によって、雇用主ウェルネスプログラムの一部を形成することが認可されたウェルネスプロバイダの部分組を受信する動作と、認可されたウェルネスプロバイダの部分組を、従業員及び少なくとも１つの認可されたウェルネスプロバイダに提示する動作とを実行させる、機械可読媒体。
【００２８】
例１６．動作は、雇用主又は従業員がウェブサイト又はモバイルインタフェースを介してウェルネスサービスの位置を特定するか、予約を行うか、又は支払いを行うことを可能にすることを更に含む、例１５の機械可読媒体。
【００２９】
例１７．動作は、雇用主又は従業員が、ウェブサイト又はモバイルインタフェースを介して、雇用主又は従業員のジオロケーションを入力し、雇用主又は従業員のジオロケーションに地理的に近接して位置するウェルネスプロバイダのリストを特定することを可能にすることを更に含む、例１５又は例１６の機械可読媒体。
【００３０】
例１８．動作は、認可されたウェルネスプロバイダのうちの１つ以上のものが、従業員による関連するウェルネスサービスの使用を雇用主に報告するのを容易にすることを更に含む、例１５〜例１７のいずれか１つの機械可読媒体。
【００３１】
例１９．ウェルネスサービスを提案するステップと、雇用主に提供されるウェルネスプロバイダのリストに登録するステップであって、リストは、雇用主又は雇用主の従業員のジオロケーションに地理的に近接した領域内に位置するウェルネスプロバイダを特定する、登録するステップと、雇用主から、ウェルネスプロバイダとして従業員ウェルネスプログラムの一部を形成することの認可を受け取るステップと、雇用主に、従業員によるウェルネスサービスの使用を報告するステップとを含んでなる方法。
【００３２】
例２０．雇用主又は従業員がウェブサイト又はモバイルインタフェースを介してウェルネスサービスの位置を特定するか、予約を行うか、又は支払いを行うことを可能にするステップを更に含む、例１９の方法。
【００３３】
例２１．従業員によるウェルネスサービスの使用に対する雇用主からの還付を受け取るステップを更に含む、例１９又は例２０の方法。
【００３４】
例２２．従業員によるウェルネスサービスの使用の証拠を提供するのを容易にするステップを更に含む、例１９〜例２１のいずれか１つの方法。
【００３５】
例２３．雇用主及び健康保険業者のうちの１つ以上のものに対し、重要業績評価指標に関する情報を提供するステップを更に含む、例１９〜例２２のいずれか１つの方法。
【００３６】
例２４．従業員によるウェルネスサービスの使用に基づいて、雇用主に対し生じる投資利益率に関する情報を雇用主に提供するのを容易にすることを更に含む、例１９〜例２３のいずれか１つの方法。
【００３７】
例２５．１つ以上のコンピュータプロセッサにおいて実行される少なくとも１つのモジュールを含むシステムであって、少なくとも１つのモジュールは、ウェルネスサービスを提案し、雇用主に提供されるウェルネスプロバイダのリストに登録し、ここで、リストは、雇用主又は雇用主の従業員のジオロケーションに地理的に近接した領域内に位置するウェルネスプロバイダを特定し、雇用主から、ウェルネスプロバイダとして従業員ウェルネスプログラムの一部を形成することの認可を受け取り、雇用主に、従業員によるウェルネスサービスの使用を報告するものである、ウェルネスプログラムのためのシステム。
【００３８】
例２６．少なくとも１つのモジュールは、雇用主又は従業員がウェブサイト又はモバイルインタフェースを介してウェルネスサービスの位置を特定するか、予約を行うか、又は支払いを行うことを更に可能にする、例２５のシステム。
【００３９】
例２７．少なくとも１つのモジュールは、従業員によるウェルネスサービスの使用の証拠を提供するのを更に容易にする、例２５又は例２６のシステム。
【００４０】
例２８．少なくとも１つのモジュールは、雇用主、雇用主及び健康保険業者のうちの１つ以上のものに対し、重要業績評価指標に関する情報を更に提供する、例２５〜例２７のいずれか１つのシステム。
【００４１】
例２９．少なくとも１つのモジュールは、従業員によるウェルネスサービスの使用に基づいて、雇用主に対し生じる投資利益率に関する情報を雇用主に提供するのを更に容易にする、例２５〜例２８のいずれか１つのシステム。
【００４２】
例３０．命令を含む、ウェルネスプログラムのための機械可読媒体であって、命令は機械によって実行されると、機械に対し、ウェルネスサービスを提案する動作と、雇用主に提供されるウェルネスプロバイダのリストに登録する動作であって、リストは、雇用主又は雇用主の従業員のジオロケーションに地理的に近接した領域内に位置するウェルネスプロバイダを特定する、登録する動作と、雇用主から、ウェルネスプロバイダとして従業員ウェルネスプログラムの一部を形成することの認可を受け取る動作と、雇用主に、従業員によるウェルネスサービスの使用を報告する動作とを実行させるものである命令を含む、ウェルネスプログラムのための機械可読媒体。
【００４３】
例３１．動作は、雇用主又は従業員がウェブサイト又はモバイルインタフェースを介してウェルネスサービスの位置を特定するか、予約を行うか、又は支払いを行うことを可能にすることを更に含む、例３０の機械可読媒体。
【００４４】
例３２．動作は、従業員によるウェルネスサービスの使用の証拠を提供するのを容易にすることを更に含む、例３０及び３１の機械可読媒体。
【００４５】
例３３．動作は、雇用主及び健康保険業者のうちの１つ以上のものに対し、重要業績評価指標に関する情報を提供することを更に含む、例３０〜例３２のいずれか１つの機械可読媒体。
【００４６】
例３４．動作は、従業員によるウェルネスサービスの使用に基づいて、雇用主に対し生じる投資利益率に関する情報を雇用主に提供することを更に含む、例３０〜例３３のいずれか１つの機械可読媒体。
【００４７】
例３５．ウェルネスプログラム事業者からウェルネスプロバイダのリストを受信するステップであって、リストは、それぞれウェルネスサービスを提案し、所定のジオロケーションに地理的に近接した領域内に位置する、ウェルネスプロバイダを特定する、受信するステップと、ウェルネスプロバイダの部分組に、従業員健康効果プログラムの一部を形成することを認可するステップと、認可されたウェルネスプロバイダの部分組を従業員に提示するステップとを含んでなる方法。
【００４８】
例３６．健康効果プログラムは、認可されたウェルネスプロバイダのうちの１つ以上のものによって提供されるウェルネスサービスの従業員による使用のインセンティブを含む、例３５の方法。
【００４９】
例３７．従業員がウェブサイト又はモバイルインタフェースを介してウェルネスサービスの位置を特定するか、予約を行うか、又は支払いを行うのを容易にするステップを更に含む、例３５又は例３６の方法。
【００５０】
例３８．動作は、ウェブサイト又はモバイルインタフェースを介してジオロケーションを入力し、地理的に近接した領域内に位置するウェルネスプロバイダのリストを特定するステップを更に含む、例３５〜例３７のいずれか１つの方法。
【００５１】
例３９．認可されたウェルネスプロバイダのうちの１つ以上のものから、従業員による関連するウェルネスサービスの使用に関する報告を受信するステップを更に含む、例３５〜例３８のいずれか１つの方法。
【００５２】
例４０．従業員による関連するウェルネスサービスの使用に対し、認可されたウェルネスプロバイダのうちの１つ以上のものに還付を行うステップを更に含む、例３５〜例３９のいずれか１つの方法。
【００５３】
例４１．健康効果プログラムにおける従業員による参加の証拠を健康保険業者に提供するステップを更に含む、例３５〜例４０のいずれか１つの方法。
【００５４】
例４２．健康効果プログラムにおける従業員による参加に対する役割報酬として健康保険業者からのインセンティブ又は還付を受け取るステップを更に含む、例３５〜例４１のいずれか１つの方法。
【００５５】
例４３．認可されたウェルネスプロバイダのうちの１つ以上のものによって提供されるウェルネスサービスの重要業績評価指標に関する情報を受信するステップを更に含む、例３５〜例４２のいずれか１つの方法。
【００５６】
例４４．健康効果プログラムにおける従業員による参加に基づいて投資利益率に関する情報を受信するステップを更に含む、例３５〜例４３のいずれか１つの方法。
【００５７】
例４５．１つ以上のコンピュータプロセッサにおいて実行される少なくとも１つのモジュールを含むシステムであって、少なくとも１つのモジュールは、ウェルネスプロバイダのリストを雇用主に提示し、ここで、リストは、雇用主又は雇用主の従業員のジオロケーションに地理的に近接した領域内に位置するウェルネスプロバイダを特定し、雇用主によって、雇用主ウェルネスプログラムの一部を形成することが認可されたウェルネスプロバイダの部分組を受信し、ここで、ウェルネスプログラムは、認可されたウェルネスプロバイダのうちの１つ以上のものによって提供されるサービスの従業員による使用のインセンティブを含み、認可されたウェルネスプロバイダの部分組を、従業員及び少なくとも１つの認可されたウェルネスプロバイダに提示するものである、システム。
【００５８】
例４６．健康効果プログラムは、認可されたウェルネスプロバイダのうちの１つ以上のものによって提供されるウェルネスサービスの従業員による使用のインセンティブを含む、例４５のシステム。
【００５９】
例４７．少なくとも１つのモジュールは、従業員がウェブサイト又はモバイルインタフェースを介してウェルネスサービスの位置を特定するか、予約を行うか、又は支払いを行うのを更に容易にする、例４５又は例４６のシステム。
【００６０】
例４８．少なくとも１つのモジュールは、ウェブサイト又はモバイルインタフェースを介してジオロケーションの入力を更に容易にし、地理的に近接した領域内に位置するウェルネスプロバイダのリストを特定する、例４５〜例４７のいずれか１つのシステム。
【００６１】
例４９．少なくとも１つのモジュールは、認可されたウェルネスプロバイダのうちの１つ以上のものから、従業員による関連するウェルネスサービスの使用に関する報告を更に受信する、例４５〜例４８のいずれか１つのシステム。
【００６２】
例５０．少なくとも１つのモジュールは、従業員による関連するウェルネスサービスの使用に対し、認可されたウェルネスプロバイダのうちの１つ以上のものに更に還付を行う、例４５〜例４９のいずれか１つのシステム。
【００６３】
例５１．少なくとも１つのモジュールは、健康効果プログラムにおける従業員による参加の証拠を健康保険業者に更に提供する、例４５〜例５０のいずれか１つのシステム。
【００６４】
例５２．少なくとも１つのモジュールは、健康効果プログラムにおける従業員による参加に対する役割報酬として健康保険業者からのインセンティブ又は還付を更に受け取る、例４５〜例５１のいずれか１つのシステム。
【００６５】
例５３．少なくとも１つのモジュールは、認可されたウェルネスプロバイダのうちの１つ以上のものによって提供されるウェルネスサービスの重要業績評価指標に関する情報を更に受信する、例４５〜例５２のいずれか１つのシステム。
【００６６】
例５４．少なくとも１つのモジュールは、健康効果プログラムにおける従業員による参加に基づいて投資利益率に関する情報を更に受信する、例４５〜例５３のいずれか１つのシステム。
【００６７】
例５５．命令を含む機械可読媒体であって、命令は機械によって実行されると、機械に対し、ウェルネスプロバイダのリストを雇用主に提示する動作であって、リストは、雇用主又は雇用主の従業員のジオロケーションに地理的に近接した領域内に位置するウェルネスプロバイダを特定する、提示する動作と、雇用主によって、雇用主ウェルネスプログラムの一部を形成することが認可されたウェルネスプロバイダの部分組を受信する動作であって、ウェルネスプログラムは、認可されたウェルネスプロバイダのうちの１つ以上のものによって提供されるサービスの従業員による使用のインセンティブを含む、受信する動作と、認可されたウェルネスプロバイダの部分組を、従業員及び少なくとも１つの認可されたウェルネスプロバイダに提示する動作とを実行させるものである、機械可読媒体。
【００６８】
例５６．健康効果プログラムは、認可されたウェルネスプロバイダのうちの１つ以上のものによって提供されるウェルネスサービスの従業員による使用のインセンティブを含む、例５５の機械可読媒体。
【００６９】
例５７．動作は、従業員がウェブサイト又はモバイルインタフェースを介してウェルネスサービスの位置を特定するか、予約を行うか、又は支払いを行うのを容易にすることを更に含む、例５５又は例５６の機械可読媒体。
【００７０】
例５８．動作は、ウェブサイト又はモバイルインタフェースを介してジオロケーションを入力し、地理的に近接した領域内に位置するウェルネスプロバイダのリストを特定することを更に含む、例５５〜例５７のいずれか１つの機械可読媒体。
【００７１】
例５９．動作は、認可されたウェルネスプロバイダのうちの１つ以上のものから、従業員による関連するウェルネスサービスの使用に関する報告を受信することを更に含む、例５５〜例５８のいずれか１つの機械可読媒体。
【００７２】
例６０．動作は、関連するウェルネスサービスの従業員による使用に対し、認可されたウェルネスプロバイダのうちの１つ以上のものに還付を行うことを更に含む、例５５〜例５９のいずれか１つの機械可読媒体。
【００７３】
例６１．動作は、健康効果プログラムにおける従業員による参加の証拠を健康保険業者に提供することを更に含む、例５５〜例５９のいずれか１つの機械可読媒体。
【００７４】
例６２．動作は、健康効果プログラムにおける従業員による参加に対する役割報酬として健康保険業者からのインセンティブ又は還付を受け取ることを更に含む、例５５〜例６１のいずれか１つの機械可読媒体。
【００７５】
例６３．動作は、認可されたウェルネスプロバイダのうちの１つ以上のものによって提供されるウェルネスサービスの重要業績評価指標に関する情報を受信することを更に含む、例５５〜例６２のいずれか１つの機械可読媒体。
【００７６】
例６４．動作は、健康効果プログラムにおける従業員による参加に基づいて投資利益率に関する情報を受信することを更に含む、例５５〜例６３のいずれか１つの機械可読媒体。
【００７７】
本装置及び本方法のこれらの例及び特徴並びに他の例及び特徴を、以下の詳細な説明において部分的に述べる。発明の概要及び例は、本主題の非限定的な例を与えることを意図したものである。排他的な又は包括的な説明を与えることは意図していない。本主題に関する更なる情報を与えるために詳細な説明を含むものである。
【００７８】
添付の図面の図において、実施形態は例として示され、限定ではない。必ずしも一定の縮尺ではない図面において、同様の符号は異なる図における類似の構成要素を示すことができる。異なる文字の添字を有する同様の符号は、類似の構成要素の異なるインスタンスを表すことができる。図面は概して、本文書において論考される様々な実施形態を限定ではなく例として示す。
【図面の簡単な説明】
【００７９】
【図１】例示的な実施形態による、ウェルネスプログラムの態様を示すブロック図である。
【図２】例示的な実施形態による、ウェルネスプログラムソフトウェアのアーキテクチャ及び機能の概略図である。
【図３Ａ】例示的な実施形態による、ウェルネスプログラムの態様を示すスクリーンショットである。
【図３Ｂ】例示的な実施形態による、ウェルネスプログラムの態様を示すスクリーンショットである。
【図３Ｃ】例示的な実施形態による、ウェルネスプログラムの態様を示すスクリーンショットである。
【図３Ｄ】例示的な実施形態による、ウェルネスプログラムの態様を示すスクリーンショットである。
【図３Ｅ】例示的な実施形態による、ウェルネスプログラムの態様を示すスクリーンショットである。
【図３Ｆ】例示的な実施形態による、ウェルネスプログラムの態様を示すスクリーンショットである。
【図３Ｇ】例示的な実施形態による、ウェルネスプログラムの態様を示すスクリーンショットである。
【図４Ａ】例示的な実施形態による、ウェルネスプログラムのための例示的な方法の幾つかの動作を概略ブロックで示す図である。
【図４Ｂ】例示的な実施形態による、ウェルネスプログラムのための例示的な方法の幾つかの動作を概略ブロックで示す図である。
【図４Ｃ】例示的な実施形態による、ウェルネスプログラムのための例示的な方法の幾つかの動作を概略ブロックで示す図である。
【図５】本明細書において論考される方法のうちの任意の１つ以上のものの方法の一部を機械に実行させるための命令セットを内部で実行することができるコンピュータシステムの形態の例示的な機械を示す図表示である。
【発明を実施するための形態】
【００８０】
以下の詳細な説明は、この詳細な説明の一部をなす添付の図面に対する参照を含む。図面は、例示的な実施形態による説明図を示している。本明細書において「例」とも呼ばれるこれらの例示的な実施形態は、当業者が本主題を実行することを可能にするように十分詳細に説明される。実施形態は組み合わせることもできるし、他の実施形態を利用することもできるし、特許請求されているものの範囲から逸脱することなく、構造的、論理的及び電気的な変更を行うこともできる。したがって、以下の詳細な説明は限定する意味で解釈されない。
【００８１】
本明細書において、ウェルネスプログラムのためのシステム及び方法の幾つかの例示的な実施形態が説明される。本明細書において、「ウェルネス」及び「健康」という用語は交換可能に用いられる。ここで、添付の図面のうちの図１を参照する。この図面は、本主題によるウェルネスプログラム１００の概観を与える概略ブロック図を示している。ウェルネスプログラムは、ウェルネスプロバイダ１０２、雇用主１０４、消費者１０６、ウェルネス又は健康保険業者１０８、及びデータウェアハウス（又はデータベース）１１０を含む。消費者１０６は、雇用主１０４の従業員を含みうる。データベース１１０は通常、MindBody Inc.社等のプログラム事業者によって作成及び所有される。
【００８２】
広く捉えると、ウェルネスプロバイダブロック１０２は、ウェルネスプロバイダ本体と、利用可能なクラス、アポイントメント、スケジュール、プライスポイント、及びウェルネスサービスプロバイダに関連するか又はウェルネスサービスプロバイダによって提供される他の情報を含む情報の集合体とを表す。ウェルネスプロバイダ１０２は、プログラム内のクライアントと呼ぶこともできる。ウェルネスプロバイダ１０２に関する情報の集合体はデータベース１１０内に記憶することができ、これについては以下でより詳細に説明する。
【００８３】
ブロック１０６によって表される消費者は、ブロック１０２によって表される集約された情報を用いて、ウェルネスプロバイダ１０２及び消費者が使用することを望む関連サービスを見つけることができる。幾つかの実施形態において、ウェルネスプロバイダ１０２は、雇用主１０４の敷地付近のそれらのジオロケーションに基づいて特定される。消費者１０６は、ウェルネスプロバイダ１０２によって提供されるサービスの予約及び支払いを行い、サービスを受け取った後、そのサービスのレビューを行うことができる。これらの動作は図１のブロック１１２によって表される。
【００８４】
ブロック１０４によって表される雇用主は、医療費に関する懸念が増大しつつある。幾つかの例では、雇用主１０４は、保険業者１０８によって提供される健康保険の保険費用及び保険料の支払いを行う。これらの費用のうちの幾らかを軽減するのに役立てるために、以下の方法で、雇用主１０４、ウェルネスプロバイダ１０２、消費者１０６及び保険業者１０８はウェルネスプログラム１００を提示され、それを用いることができる。
【００８５】
雇用主１０４のロケーションの周囲又は近くの地理的領域内に位置するウェルネスプロバイダ１０２のリストが雇用主１０４に提示される。これらのサービスを位置特定するために、雇用主１０４はウェブサイト（例えば、mindbodyfinder.com、又はスマートフォン等のポータブル電子デバイス、例えばｉＰｈｏｎｅのモバイルインタフェース）を参照し、例えばジップコードを用いて、自身のエリア内に位置するウェルネスサービスプロバイダ１０２のリストを特定することができる。幾つかの例では、雇用主のロケーションの数マイル（a few miles）内で数百個のウェルネスプロバイダを特定することができる。
【００８６】
おそらく人事部長又は他の職員によって代表される雇用主１０４は、これらの特定されたサービスのうちのいずれを、自身の従業員１０６がウェルネスプログラム１００の一部として用いるための会社が認定したサービスプロバイダ１０２として雇用主１０４が認可するかを選択することができる。選択は、例えば費用分担構成を含みうるインセンティブと関連付けることができる。雇用主１０４は、従業員の代わりに、例えばウェルネスプロバイダ１０２の費用の全て又は半分を支払うことを提案する場合がある。代替的に、雇用主１０４は、固定量、例えば、ウェルネスプロバイダの費用の最初の２００ドルを支払うことを提案する場合がある。そのような費用の認可及び還付は図１のブロック１１４によって表される。
【００８７】
ブロック１０２におけるウェルネスプロバイダは、サービスを届け、従業員によるサービスの使用を文書化し、従業員のサービスの使用を雇用主１０４に報告する。文書化及び報告の動作は、図１のブロック１１６によって表される。幾つかの実施形態では、雇用主１０４は認定された従業員１０６のリストを所与のウェルネスプロバイダ１０２に提供し、そして場合によっては、従業員１０６は、次に自身が雇用主１０４の認可された現在の従業員１０６であることを明らかにする証明をそのウェルネスプロバイダ１０２に提示する必要がある。認可されたウェルネスプロバイダの部分組、及び適宜、雇用主と従業員との間のインセンティブ又は還付構成を、従業員１０６及び関連するウェルネスプロバイダ１０２に通信することができる。通信は、例えば以下で更に説明されるコンピュータシステム５００内の通信モジュールによって有効にすることができる。
【００８８】
幾つかの例では、従業員１０６に提案されるか又は従業員１０６と合意されたインセンティブ構成に応じて、ウェルネスプロバイダ１０２に提供される適切な還付又は共同負担割合に関する交渉及び合意が存在する場合がある。ブロック１１４に示される雇用主１０４によるサービスプロバイダ１０２への還付は、雇用主が報告１１６を受信するのに応じて行うことができる。
【００８９】
ウェルネスプログラム１００は、健康保険会社を含みうる。これらはブロック１０８によって表される。健康保険業者１０８は、例えば雇用主１０４と連携し、雇用主１０４がウェルネスプログラム１００に自身の従業員を参加させるのに応じて、より低い保険料が事前対応的に従業員１０６に提案されるようにすることができる。そのような構成の日々の動作は、参加証明ブロック１１８及びディスカウントブロック１２０によって表される。ブロック１１６によって表される報告の一部を形成する情報又はデータも、ブロック１１８において示される保険業者への証明の一部をなすことができる。
【００９０】
他のインセンティブは、インセンティブブロック１２２によって表されるように、保険業者１０８によって従業員１０６に独立して提供することができる。インセンティブは、例えば、従業員１０６によって提供された生体情報１２４の受信に応じて提供することができる。参加の証明１１８を保険業者１０８に提出することは、データウェアハウスブロック１１０によって表されるデータベース内に含まれる情報によって容易にすることができる。このデータベース１１０は、従業員１０６のウェルネス活動及びウェルネスプロバイダ１０２が自身のサービスを届ける際の活動を含みうる。データベースは、ブロック１２６において、プログラム１００内に存在する関連する還付率を記憶し、ＫＰＩブロック１２８においてウェルネスプロバイダの適切な重要業績評価指標を記憶することもできる。
【００９１】
データベース１１０は、１つ以上の論理データベース又は物理データベースからなることができる。例えば、データベースは、様々な実施形態において、データベースのシステムとして見ることもできるし、関係データベース、集中データベース、分散データベース、オブジェクト指向データベース又はフラットデータベースとして実装することもできる。第１のデータベース内に記憶されるデータは、共通データフィールドを用いることにより第２のデータベース内のデータと関連付けることができる。
【００９２】
プログラム１００内の雇用主１０４は、自身の従業員１０６がプログラム１００に参加しており、ウェルネスプロバイダ１０２のサービスを用いていることの文書を受け取ることができる。そのような参加に基づいて、健康保険業者１０８はそれに応じてそれらの従業員の保険料率をディスカウントすることができる。保険業者１０８は、ＲＯＩブロック１３０において示される投資利益率の証明を有しているので、この低減を正当化することができる。投資利益率（ＲＯＩ）は、例えば売上の増大及び支出（医療費）の低減を含みうる。この証明は通常、データベース１１０内に含まれる情報を用いてウェルネスプログラム事業者（MindBody Inc.社等）によって提供される。
【００９３】
ウェルネスプログラム１００はまた、図１を参照して雇用主１０４、ウェルネスプロバイダ１０２、消費者１０６及び保険業者１０８を表すのに用いられた用語と適宜交換可能に用いることができる、以下のエンティティ及び定義を含みうる。
【００９４】
したがって、プログラム１００の１つの態様は、MindBody Inc.社等のプログラム事業者によって提供される「ウェルネスサービス」を含みうる。このサービスは、人々（例えば図１における消費者１０６）の健康及びウェルネスを改善し、それによって人々の医療費を最小にしかつ人々の生活の質及び生産性を最大にすると考えられるクラス又はアポイントメントに基づくサービスである。ウェルネスサービスの例には、ヨガ、ピラティス、スピニング、ズンバ及び同様のグループエクササイズクラス、パーソナルトレーニング、スポーツ活動、マッサージ、並びに他のスパトリートメント、瞑想、栄養カウンセリング、並びにアーユルベーダ、鍼治療及び漢方薬等の「代替医療」の実践を含めることができる。
【００９５】
「適用対象の個人」は、ウェルネスサービスが全体的に又は部分的に「参加支払者」によって還付される個人（例えば図１における消費者又は従業員１０６）を含みうる。「参加支払者」は、適用対象の個人の認定されたウェルネスサービスの一部に対し支払うことに合意した雇用主、個人又は政府機関（例えば図１のブロック１０４に示す雇用主）を含みうる。通常、このエンティティは、適用対象の個人の医療費の全て又は一部の支払いも担当し、このためこれらの費用を低減するよう動機づけられている。「参加保険業者」は、ウェルネスプログラム１００における適用対象の個人による文書化された参加と引き換えに、参加支払者に費用のインセンティブを与えることに合意した保険会社（例えば図１における保険業者１０８）を含みうる。
【００９６】
「参加プロバイダ」は、ウェルネスサービス提供ビジネスに関与し、プログラム１００に参加する個人又は会社（例えば図１のブロック１０２におけるウェルネスプロバイダ）を含みうる。参加プロバイダによるプログラムへの参加は、例えばプログラム事業者によって提供されるウェブベースのビジネス管理ソフトウェアへの加入を含みうる。
【００９７】
プログラム１００内の「オンラインアポイントメント」は、適用対象の個人が、特定の日付、時間及び場所において１：１のウェルネスサービスを受けるという約束を含みうる。オンラインアポイントメントの例は、参加プロバイダの市街地店舗におけるパーソナルトレーニングのアポイントメントを含みうる。プログラム１００内の「オンライン予約」は、適用対象の個人が、ウェルネスプロバイダ１０２における、クラスに基づくウェルネスサービスに出席するという約束を含みうる。予約は、例えば、クラスの開始時間の前に、インタネット接続されたデバイスを介して行うことができる。オンライン予約の例は、定期的にスケジューリングされたヨガクラス又はグループエクササイズクラスに参加する予約を含みうる。
【００９８】
例示的な実施形態において、ウェルネスプログラム１００を実施するウェルネスシステムが提供される。ウェルネスシステムは、以下で図５を参照してより詳細に説明するシステム５００の構成要素を備えることができる。例示的な実施形態では、ウェルネスシステムは、図１に示すデータベース１１０等の集約データベースを備えることができる。集約データベースは、全ての参加プロバイダ１０２及び参加支払者１０４の連続して更新される記録が、それらのジオロケーション、ウェルネスプロバイダ１０２によって提供されるウェルネスサービス、ウェルネスサービスを受ける適用対象の個人、発生する料金、支払い済み額等とともに維持される専用データベースを含みうる。図１を参照して説明されるエンティティ、動作及びブロック１０２〜１３０に関する情報のうちの任意のものをデータベース１１０に記憶することができる。
【００９９】
ウェルネスシステムは、ユーザインタフェース、ダッシュボード及びモバイルデバイスウェルネスアプリケーションを提供する、プロセッサ上で実装されるソフトウェアを含みうる。上述した定義を用いて、ソフトウェアの１つの態様は、参加プロバイダ、例えば図１においてブロック１０２によって表されるウェルネスプロバイダへのインタフェースを提示することができるビジネス管理ソフトウェアを含みうる。幾つかの実施形態では、ビジネス管理ソフトウェアは、ウェブアクセス可能なデータベース１１０において参加プロバイダ情報のリアルタイムの集約を提供する。ソフトウェアは、参加プロバイダウェブサイトから、及び例えばモバイルデバイスアプリケーションを介して行われるオンラインアポイントメント及びオンライン予約を可能にすることもできる。
【０１００】
参加プロバイダ１０２はシステムを用いて、迅速にチェックインし、参加支払者１０４の認可を確認し、適用対象の個人１０６の費用分担を計算し、例えば雇用主インセンティブ方式の一部として設定されている任意の支払い分割取引又は還付１１４を行うことができる。ソフトウェアは、適用対象の個人がウェルネスサービスを実際に完了したことの肯定確認により、そのような個人の説明責任を果たすことができる。完了したウェルネスサービスに関する特定の情報（例えば、ランニングマシンに費やした時間、プールにおけるラップ数）を提供することができる。ソフトウェアは、完了したウェルネスサービスについて、参加プロバイダ１０２への認定された還付の電子的集約及び提出を可能にすることもできる。例示的な実施形態では、ソフトウェアは参加支払者の電子還付の調停を可能にする。ソフトウェアは、ウェルネスプログラム１００に参加している様々なユーザ１０４及び１０６による参加全体からのＲＯＩに関して報告することもできる。ソフトウェアの他の特徴及び改善も提供することができることが理解されよう。
【０１０１】
ウェルネスシステムは、別の例示的なユーザインタフェースとして「企業ウェルネス」ダッシュボードを更に備えることができる。ダッシュボードは、以下で更に説明する図３Ａ〜図３Ｃのスクリーンショットに示されるビューのうちの１つ以上のものを含みうる。ダッシュボードの通常のユーザは、参加支払者１０４における人事職員又は経理若しくは財務管理者とすることができる。ダッシュボードの機能によって、参加支払者１０４が、雇用主の事務所所在地又は従業員の自宅の近辺において提供される、ジオロケーションにより位置が特定された（geo-located）サービスをレビューすることが可能になる。ダッシュボードは、参加支払者１０４が、企業ウェルネスプログラム１００の認定された参加者として特定されたウェルネスプロバイダ１０２の部分組を認可又は認可解除することを更に可能にする。サービス又は参加プロバイダ１０２のカテゴリを、個々に又はまとめて認可又は認可解除することができる。プログラム１００の例示的な実施形態では、事業会社は、参加支払者として、自身の従業員にインセンティブを提案し、「当社はフィットネスクラスについて従業員に還付を行うが、マッサージ療法については還付を行わない」という宣言を通信する場合がある。通信は、例えばウェルネスシステム内の通信モジュールを用いてプログラム事業者によって行うか又はプログラム事業者を通じてルーティングすることができる。例示的な実施形態では、ダッシュボードインタフェースの機能によって、参加支払者が自身の費用分担及び共同負担を指定することも可能になる。例えば、参加支払者は自身の従業員に、以下のように、すなわち「当社は貴方の月々のウェルネス費用の５０％を最大で最初の２００ドルまで支払う」というインセンティブを与える場合がある。ダッシュボードによって、参加支払者が、適用対象の個人として特定された従業員のリストをアップロードし、継続的に更新することも可能になる。リストは、例えば従業員名、電子メールアドレス、携帯電話番号及び従業員ＩＤ番号を含みうる。
【０１０２】
ウェルネスプログラム１００を可能にするシステムは、スマートフォン、モバイルデバイス等のためのウェルネスアプリケーションを更に含みうる。アプリケーションは通常、ユーザ、例えば適用対象の個人１０６に対するインタフェースを提示する。アプリケーションインタフェースは、所与の参加支払者１０４に適するようにブランド提携することを含みうる。例えば、モバイルアプリケーションのインタフェースにおいて提示されるロゴ又はアクション要素は、「Ajax Corporation社のウェエルネスアプリ」を示すことができる。モバイルアプリケーションは、適用対象の個人１０６が、例えばジオロケーションに基づいて、認可された参加プロバイダ１０２から利用可能なウェルネスサービスを迅速に見つけるのに用いることができる。アプリケーションによって、適用対象の個人が、例えば支払い証明書として自身の従業員ＩＤを用いてオンラインアポイントメント及びオンライン予約を行うことも可能になる。モバイルアプリケーションによって、適用対象の個人が、自身の進行中のウェルネス行動及び目標を追跡することが更に可能になる。この情報は、例えばブロック１１６における報告行動の一部を形成する場合もあるし、図１のブロック１２４によって表される生体データ提供の一部を形成する場合もある。
【０１０３】
ウェルネスプログラム１００及びそれをサポートするシステムは、以下の機能及び利点を提供することができる。参加支払者１０４及び適用対象の個人１０６は、いずれのウェルネスサービスプロバイダ１０２が集約データベースにリンクされた管理ソフトウェアであるかを好都合に識別することができる。集約データベースは、参加プロバイダのサービスタイプ、説明、価格及びスケジュール等の情報を、それらの日常事業運営の過程で自動的に集約する。主要な特徴は、参加プロバイダが自身のウェルネスサービスを適用対象の個人に提供し参加支払者還付を受け取るのに、継続的動作が全く（又は非常に最小限にしか）必要とされないことである。これによって、ウェルネスプログラム１００及びそれを可能にするシステムの市場性及び有効性を促進することができる。ウェルネスプログラムのこれらの態様及びツール並びに他の態様及びツールは、www.mindbodyfinder.com等のウェブサイトを介して提供することができ、企業ウェルネスプログラム又は社内コミュニケーション（employer communication）の一部として提示することができる。
【０１０４】
ウェルネスプログラム１００によって、参加支払者は、潜在的に数千個の参加プロバイダ１０２及びウェルネスプロバイダによって提供されるサービスのカテゴリを、適用対象の個人として認可された自身の従業員に対してまとめて迅速に認可及び認可解除することが可能になる。参加支払者は、適用対象の個人が実際にウェルネスサービスを完了させたという肯定確認を受け取ることができる。これによって、雇用主ウェルネスプログラムにおける個人的な説明責任の向上をもたらすことができる。参加支払者１０２及び参加保険業者１０８は、ウェルネスの実施、ヘルスケアの結果、保険業者の費用、還付、及び従業員の生産性の間で有利な関係性を確立する集約データにアクセスすることができる。この関係性は、大規模な集団にわたってウェルネスの実施を健康転帰と関係付ける大規模なデータセットを用いるとより効果的に実証することができる。この関係性の確立は、参加支払者１０４によって提供される還付及び他のインセンティブ、並びに保険業者１０８によって提供される保険料の減少を正当化するのに役立つことができる。
【０１０５】
ここで、添付の図面の図２を参照してウェルネスプログラム１００を可能にするシステムソフトウェアのアーキテクチャ及び機能の概観を提供する。
【０１０６】
概して符号２で示されるソフトウェアは、３つの主要構成要素、すなわちサービス型ソフトウェア（ＳａａＳ）ビジネス管理ソフトウェアソリューション（概して点線の輪郭のボックス４によって示される）、ファインダソフトウェアソリューション（概して点線の輪郭のボックス６によって示される）、及び関連するデータベース（概して点線の輪郭のボックス８によって示される）を含むものとみなすことができる。図１に示すエンティティ１０２〜１０８を含む健康及びウェルネス産業に対しソフトウェア２を販売し、その機能を提示することができる。ソフトウェア２は、例えばフィットネス、ヨガ、ピラティス、ダンス、サロン、スパ及び武術のビジネスを含むウェブベースのビジネス管理ソフトウェアプラットフォームをクライアントに提供する。このため、クライアントは、図１に示す「ウェルネスプロバイダ」１０２と、すぐ上の定義で述べた「参加プロバイダ」とを含みうる。ソフトウェアは、例えば従業員ウェルネス又はインセンティブプログラムの一部としてウェルネスプロバイダのサービスの一部を支払う意思がある場合がある雇用主、個人及び政府機関等のクライアントエンティティに対し提示し、販売することもできる。このため、これらのクライアントエンティティは、図１に示す「雇用主」１０４と、すぐ上の定義で述べた「参加支払者」とを含みうる。これらのクライアントグループは、ソフトウェア２を用いて、スケジューリング及び電子商取引機能、スタッフ及び顧客管理、並びに小売店販売時点管理（ＰＯＳ）を含む自身のビジネスの様々な態様をサポートすることができる。
【０１０７】
次に、ビジネス管理ソフトウェア４は、それぞれのサーバに常駐し、それぞれのＵＲＬ（例えば、clients.mindbodyonline.com及びAPI.mindbodyonline.com）を介してアクセス可能な、２つの部分構成要素、すなわちビジネス管理ソフトウェアＵＩソフトウェア２０及びコアＡＰＩソフトウェア２２を有するとみなすことができる。
【０１０８】
ビジネス管理ソフトウェアユーザインタフェース（ＵＩ）構成要素２０は、２つのコア動作モード、すなわち「ビジネスモード」及び「消費者モード」を有し、対応するビジネスモードユーザインタフェース及び消費者モードユーザインタフェースを提供する。ビジネスモードインタフェースは、インタネット（又はＣＤＮ）１６及びファイアウォール／プライベートネットワーク１８を介してビジネスモードユーザ１０にアクセス可能である。ビジネスモードインタフェースは、ビジネスモードユーザ１０（例えばクライアントにおける所有者、管理者及びスタッフ）に、そのユーザのビジネスのコア動作を実行及び管理するための営業部門機能及びビジネス管理部門機能を提供する。ビジネスモードユーザは、上述したクライアント、すなわち雇用主／参加支払者１０４及びウェルネスプロバイダ／参加プロバイダ１０２を含みうる。
【０１０９】
消費者モードインタフェースは、顧客モードユーザ１２（例えばクライアントの顧客又はソフトウェアの加入者）に、そのユーザの口座、支払い及びスケジュールを管理するためのソフトウェア２へのオンラインアクセスを提供する。顧客モードユーザは、図１に示す消費者１０６と、上記の定義で述べた「適用対象の個人」とを含みうる。
【０１１０】
ビジネスモードユーザインタフェース及び消費者モードユーザインタフェースに加えて、ソフトウェア２、特にコアＡＰＩソフトウェア２２は、提携先及び他の第三者によって消費されるアプリケーションプログラミングインタフェース（ＡＰＩ）を提供して、モバイルアプリケーション、カスタム報告、及び他のハードウェアベンダ及びソフトウェアベンダとの統合を含む補助的な付加価値のあるソフトウェア及びサービスを提供する。
【０１１１】
ファインダソフトウェア６は、ファインダポータルユーザインタフェース（ＵＩ）ソフトウェア２４と、ファインダＡＰＩソフトウェア２６とを備える。ファインダソフトウェア６は、ファインダユーザ１４によってインタネット１６及びファイアウォール１８を介してアクセス可能である。ファインダユーザは、雇用主１０４（参加支払者）と、ウェルネスプロバイダ１０２（参加プロバイダ）と、消費者１０６（適用対象の個人）と、保険業者１０８（参加保険業者）と、他の第三者とを含みうる。ファインダソフトウェア６は、消費者ポータル及びモバイルアプリケーションに集約サービスを提供し、全てのソフトウェアクライアント（又は加入者）、ウェルネスクラス、アポイントメント又は予約提案を検索し予約することができるようにする。ビジネス管理ソフトウェア４と同様に、ファインダソフトウェア６はウェブポータル（www.mindbodyfinder.com）及びＡＰＩを介してアクセス可能である。
【０１１２】
次にバックエンドを参照すると、データベース８は複数の加入者データベース２８、システムデータベース３０及び集約データベース３２を含む。データベース８は、図１に示したデータウェアハウス１１０に類似している。データベース８は、（水平分割とは対照的に）シャードを用いるように構築され、各クライアント又は加入者（雇用主、消費者又はウェルネスプロバイダ）は、加入者データベース２８の独自の論理インスタンスを発行されている。シャードを用いたアーキテクチャによって、高い可用性、高速なクエリ、及び急速に成長する環境に対するスケーラビリティが促進される。データベースサーバがフル容量に達すると、新たなＳＱＬインスタンスがオンラインにされ、データベースは負荷分散のためにインスタンスにわたって分散される。
【０１１３】
システムデータベース３０は、マスタクライアントレコード（ＭＣＲ）を記憶する。ＭＣＲは、識別タグ及び電子メールアドレスを用いて、加入者データベース２８の全てにわたって個々のクライアントを識別する。ＭＣＲは、集約リフレッシュプロセスの一部として集約データベース３２にコピーされる。さらに、ＭＣＲは、クライアントの存在を確認し、加入者データベース２８内にクライアント記録が重複することを防ぐために、ファインダソフトウェア６によって用いられる。
【０１１４】
加入者データベース２８は、集約プロセスにより集約データベース３２に集約される。集約プロセスは、それぞれの加入者データベース２８から、基本企業情報（例えば、名称、住所等）、クラス／アポイントメントスケジュール情報、及びアポイントメントサービス提案情報を抽出する１日１回の動作である。次に、この抽出された情報は組み合わされ、インデックス付けされて、集約データベース２８に入れられる。リアルタイムのクラス又はアポイントメント情報は集約データベース３２に集約されず、集約は２４時間ごとに１回のみ、通常夜間に実行されることに留意することが重要である。そしてこれにより、クラス又はアポイントメント予約を行うとき、ソフトウェア２が加入者データベース２８に対しリアルタイム検証を行うことが必要となる。次に、集約データベース３２及び関連する加入者データベース２８の双方に予約がリアルタイムで（又はほぼリアルタイムで）記録される。
【０１１５】
クラスに関してデータベース８に対して実行されるクエリに関して、ファインダソフトウェア６によって集約データベース３２に対しファインダクエリが実行される。集約データベース３２は、企業情報及びロケーション情報、スタッフの経歴、クラスの説明及びスケジューリングされたクラス時間を含む。アポイントメントの場合、ファインダソフトウェア６によって、企業情報、ロケーション情報及びアポイントメントサービスタイプ情報のみについて、集約データベース３２に対しファインダクエリが実行される。ファインダソフトウェア６は、スタッフ情報（例えば、誰が特定のタイプのアポイントメントを提案しているか）及びリアルタイムアポイントメント利用可能性について加入者データベース２８に対し別個のクエリを実行する。
【０１１６】
図３Ａ〜図３Ｇは、上記のインタフェースのうちの１つ以上のものにおいて提示することができる幾つかの例示的なスクリーンショットを示している。インタフェースは、例えばコンピュータモニタ又はモバイルデバイスにおいて提示することができる。スクリーンショットは、雇用主１０４、ウェルネスプロバイダ１０２、消費者１０６、保険業者１０８及び第三者等の参加エンティティのためのプログラムの実行を容易にするウェルネスプログラム１００の例示的な態様を示している。これらのエンティティは、すぐ下の説明において「ユーザ」として包括的に参照される。
【０１１７】
例えば、図３Ａにおいて、例示的なバナーバー１３２は、プログラム機能、価格設定、アドオン、教育、クライアント、会社、及び今すぐ購入に関するドロップダウンメニューを提示する。図３Ｂは、オンライン販売及びスケジューリング（例えばオンライン予約及びオンラインアポイントメントを行う）アプリケーション１３４、スタッフ及びリソーススケジューリングアプリケーション１３６、並びに販売時点管理アプリケーション１３８のための例示的なインタフェースを提示している。図３Ｃは、日常のオートメーション１４０、ビジネスアナリティクス（例えばＲＯＩ解析）１４２、並びに顧客関係及びマーケティングツール１４４のための例示的なインタフェースを示している。図３Ｄは、ユーザが、例えばユーザインタフェース要素１４８に入力されたジップコード「３０００４」によって示されるようなユーザのジオロケーションに位置するか又はその付近にあるウェルネスクラス、例えばユーザインタフェース要素１４６において入力又は選択された「ヨガ」を探索することを可能にする例示的なファインダインタフェースを示している。ウェルネスプロバイダによって提案されるそのようなサービス（例えばヨガクラス）のリストが、例えば要素１５０において示されている。クラスの日付、時間及び価格の詳細は、例えばバナー１５２において、提案されている特定のタイプのヨガクラスの詳細（例えば「ビクラム６０」）とともに与えることができる。図３Ｄに示すインタフェース内にリストされるウェルネスプロバイダのうちの１つをクリックするユーザには、例えば図３Ｅに示すインタフェースを示すことができる。このビューは、選択されたウェルネスプロバイダによって提案される、ウェルネスクラス、アポイントメント時間、価格等１５４と、ウェルネスプロバイダのジオロケーションを示すマップ１５６とを更に示す。図３Ｆは、世界地図が表されているインタフェースを示している。所与の国におけるウェルネスプロバイダの大まかなジオロケーションがビュー内のバルーン１５８によって示されている。ユーザは、例えばユーザインタフェース要素１６０において、検索クエリとして、都市、州又はジップコードを入力することができ、そのような入力に応じて、選択された都市（この例ではサンフランシスコ）内のウェルネスプロバイダのジオロケーションのより詳細な図を、例えば図３Ｇに示すようなインタフェースにおいて提供することができる。ウェルネスプロバイダのジオロケーションは、表示マップ上のドット又はバブル１６２によって表され、更なる詳細、クラス、マップ等を、図３Ｅのインタフェースと同様にして別個のビューにおいて提供することができる。
【０１１８】
図４Ａ〜図４Ｃは、ウェルネスプログラム１００の幾つかの態様に関係する例示的な方法を示している。本方法の幾つかの部分は、ハードウェア（例えば、専用ロジック、プログラム可能ロジック、マイクロコード等）、ソフトウェア（汎用コンピュータシステム又は専用機械上で実行することができるもの等）又は双方の組み合わせを含みうる処理ロジックによって実行することができる。本方法の幾つかの部分は、本明細書において説明するシステム及び方法の一部として用いることができる例示的なコンピュータシステム５００（以下で更に説明する）内の様々なモジュールによって実行することができる。これらのモジュールのそれぞれが、プロセッサ及び処理ロジックを含みうる。
【０１１９】
図４Ａに示すように、ウェルネスプログラムのための方法４００Ａは、動作４０２Ａにおいて、雇用主に対しウェルネスプロバイダのリストを提示することを含む。このリストは、それぞれウェルネスサービスを提案し、雇用主又は雇用主の従業員のジオロケーションに地理的に近接した領域内に位置する、ウェルネスプロバイダを特定する。また、方法４００Ａは、４０４Ａにおいて、雇用主によって雇用主ウェルネスプログラムの一部をなすことを認可されたウェルネスプロバイダの部分組を受信することを含み、４０６Ａにおいて、認可されたウェルネスプロバイダの部分組を従業員及び少なくとも１つの認可されたウェルネスプロバイダに提示することを含む。ウェルネスプログラムは、認可されたウェルネスプロバイダのうちの１つ以上のものによって提供されるウェルネスサービスについて、従業員が用いるためのインセンティブを含みうる。
【０１２０】
方法４００Ａは、４０８Ａにおいて、雇用主又は従業員がウェブサイト又はモバイルインタフェースを介してウェルネスサービスの位置を特定し、予約を行い、支払いを行うことを可能にすることを更に含みうる。雇用主にウェルネスプロバイダのリストを提示することは、４１０Ａにおいて、雇用主にウェブサイト又はモバイルインタフェースを参照させ、雇用主がウェブサイト又はモバイルインタフェースを介して雇用主又は従業員のジオロケーションを入力して、雇用主又は従業員のジオロケーションに地理的に近接して位置するウェルネスプロバイダのリストを特定することを可能にする。
【０１２１】
幾つかの例において、方法４００Ａは、認可されたウェルネスプロバイダのうちの１つ以上のものが雇用主に対し、従業員による関連するウェルネスサービスの使用を報告するのを容易にすることを更に含みうる。方法はまた、従業員による関連するウェルネスサービスの使用に対し、雇用主が、認可されたウェルネスプロバイダのうちの１つ以上のものへの還付を行うのを容易にすることを更に含みうる。
【０１２２】
幾つかの例では、方法４００Ａは、ウェルネスプログラムにおける従業員による参加の証拠を健康保険業者に提供するのを容易にすることを更に含みうる。幾つかの例では、方法４００Ａは、ウェルネスプログラムにおける従業員の参加に対する役割報酬として健康保険業者によって行われるインセンティブ又は還付を雇用主が受け取るのを容易にすることを更に含む。幾つかの例では、方法４００Ａは、雇用主又は従業員に、認可されたウェルネスプロバイダのうちの１つ以上のものによって提供されるウェルネスサービスに関する重要業績評価指標を提供することを更に含む。幾つかの例では、方法４００Ａは、ウェルネスプログラムにおける従業員による参加に基づいて雇用主に対し生じる投資利益率に関する情報を雇用主に提供することを更に含む。
【０１２３】
図４Ｂに示すように、ウェルネスプログラムのための方法４００Ｂは、動作４０２Ｂにおいて、ウェルネスサービスを提案することを含み、動作４０４Ｂにおいて、雇用主に提供されるウェルネスプロバイダのリストに登録することを含む。このリストは、雇用主又は雇用主の従業員のジオロケーションに地理的に近接した領域内に位置するウェルネスプロバイダを特定する。また方法４００Ｂは、４０６Ｂにおいて、ウェルネスプロバイダとして従業員ウェルネスプログラムの一部を形成することの認可を雇用主から受け取ることを含み、４０８Ｂにおいて、雇用主に、従業員によるウェルネスサービスの使用を報告することを含む。
【０１２４】
方法４００Ｂは、４１０Ｂにおいて、雇用主又は従業員がウェブサイト又はモバイルインタフェースを介してウェルネスサービスの位置を特定するか、予約を行うか、又は支払いを行うことを可能にすることを更に含みうる。幾つかの例では、方法４００Ｂは、４１２Ｂにおいて、従業員によるウェルネスサービスの使用に対する雇用主からの還付を受け取ることを更に含む。幾つかの例では、方法４００Ｂは、４１４Ｂにおいて、従業員によるウェルネスサービスの使用の証拠を提供するのを容易にすることを更に含む。
【０１２５】
幾つかの例では、方法４００Ｂは、４１６Ｂにおいて、雇用主及び健康保険業者のうちの１つ以上のものに、重要業績評価指標に関する情報を提供することを更に含む。幾つかの例では、方法４００Ｂは、４１８Ｂにおいて、従業員によるウェルネスサービスの使用に基づいて雇用主に対し生じる投資利益率に関する情報を雇用主に提供するのを容易にすることを更に含む。
【０１２６】
図４Ｃに示すように、ウェルネスプログラムのための方法４００Ｃは、動作４０２Ｃにおいて、ウェルネスプログラム事業者からウェルネスプロバイダのリストを受信することを含む。このリストは、それぞれウェルネスサービスを提案し、所定のジオロケーションに地理的に近接した領域内に位置する、ウェルネスプロバイダを特定する。また、方法４００Ｃは、４０４Ｃにおいて、ウェルネスプロバイダの部分組が従業員健康効果プログラムの一部をなすことを認可することを含み、４０６Ｃにおいて、認可されたウェルネスプロバイダの部分組を従業員に提示することを含む。健康効果プログラムは、従業員が、認可されたウェルネスプロバイダのうちの１つ以上のものによって提供されるウェルネスサービスを使用するためのインセンティブを含む。
【０１２７】
方法４００Ｃは、４０８Ｃにおいて、雇用主がウェブサイト又はモバイルインタフェースを介してウェルネスサービスの位置を特定するか、予約を行うか、又は支払いを行うことを容易にすることを更に含みうる。幾つかの例では、方法４００Ｃは、４１０Ｃにおいて、ウェブサイト又はモバイルインタフェースを介してジオロケーションを入力し、地理的に近接した領域内に位置するウェルネスプロバイダのリストを特定することを更に含む。
【０１２８】
幾つかの例では、方法４００Ｃは、従業員による関連するウェルネスサービスの使用に関して、認可されたウェルネスプロバイダのうちの１つ以上のものからの報告を受け取ることを更に含む。幾つかの例では、方法４００Ｃは、従業員による関連するウェルネスサービスの使用に対して、認可されたウェルネスプロバイダのうちの１つ以上のものに還付を行うことを更に含む。幾つかの例では、方法４００Ｃは、健康効果プログラムにおける従業員による参加の証拠を健康保険業者に提供することを更に含む。幾つかの例では、方法４００Ｃは、健康効果プログラムにおける従業員の参加に対する役割報酬として健康保険業者からのインセンティブ又は還付を受け取ることを更に含む。
【０１２９】
幾つかの例では、方法４００Ｃは、認可されたウェルネスプロバイダのうちの１つ以上のものによって提供されるウェルネスサービスの重要業績評価指標に関する情報を受け取ることを更に含む。幾つかの例では、方法４００Ｃは、健康効果プログラムにおける従業員による参加に基づいて、投資利益率に関する情報を受け取ることを更に含む。
【０１３０】
図５は、本明細書において記載されるシステム及び方法の一部として用いることができる例示的なコンピュータシステム５００を示している。例示的なコンピュータシステム５００は、１つ以上のプロセッサ５０２（例えば中央処理ユニット（ＣＰＵ）、グラフィック処理ユニット（ＧＰＵ）又は双方）と、バス５０８を介して互いに通信するメインメモリ５０４及びスタティックメモリ５０６とを備える。コンピュータシステム５００は、ビデオディスプレイユニット５１０（例えば液晶ディスプレイ（ＬＣＤ）又は陰極線管（ＣＲＴ））を更に備えることができる。また、コンピュータシステム５００は、英数字入力デバイス５１２（例えばキーボード）と、カーソル制御デバイス５１４（例えばマウス）と、ディスクドライブユニット５１６と、信号生成デバイス５１８（例えばスピーカ）と、ネットワークインタフェースデバイス５２０とを備えることができる。
【０１３１】
（モジュール、コンポーネント及びロジック）
本明細書において、或る特定の実施形態は、ロジック又は複数のコンポーネント、モジュール又はメカニズムを含むものとして記載される。モジュールはソフトウェアモジュール（例えば、（１）非一時的機械可読媒体に又は（２）伝送信号に埋め込まれたコード）又はハードウェア実装モジュールを構成することができる。ハードウェア実装モジュールは、或る特定の動作を実行することが可能な有形ユニットであり、或る特定の方式で構成又は配置することができる。例示的な実施形態では、１つ以上のコンピュータシステム（例えば、スタンドアロン、クライアント又はサーバコンピュータシステム）又は１つ以上のプロセッサは、本明細書に記載される或る特定の動作を実行するように動作するハードウェア実装モジュールとして、ソフトウェア（例えばアプリケーション又はアプリケーションの一部分）によって構成することができる。
【０１３２】
様々な実施形態において、ハードウェア実装モジュールは、機械的に又は電子的に実装することができる。例えば、ハードウェア実装モジュールは、或る特定の動作を実行するように恒久的に構成される専用回路部又はロジックを（例えば、フィールドプログラマブルゲートアレイ（ＦＰＧＡ）又は特定用途向け集積回路（ＡＳＩＣ）等の専用プロセッサとして）含みうる。また、ハードウェア実装モジュールは、或る特定の動作を実行するようにソフトウェアによって一時的に構成されるプログラム可能ロジック又は回路部を（例えば、汎用プロセッサ又は他のプログラマブルプロセッサ内に包含されるものとして）備えることができる。ハードウェア実装モジュールを、専用の恒久的に構成された回路部において機械的に実装するか、又は一時的に構成された回路部（例えばソフトウェアによって構成される）において実装するかの判定は、コスト及び時間を検討することによって行うことができることが理解されよう。
【０１３３】
したがって、「ハードウェア実装モジュール」という用語は、物理的に構築されるか、恒久的に構成される（例えば有線接続される）か、又は或る特定の方式で動作し及び／又は本明細書において記載される或る特定の動作を実行するように一時的に又は一過性で構成される（例えばプログラムされる）エンティティである有形エンティティを包含するように理解されるべきである。ハードウェア実装モジュールが一時的に構成される（例えばプログラムされる）実施形態を検討すると、ハードウェア実装モジュールのそれぞれが、任意の一時点において構成又はインスタンス化される必要はない。例えば、ハードウェア実装モジュールがソフトウェアを用いて構成される汎用プロセッサを含む場合、この汎用プロセッサは、異なる時点においてそれぞれ異なるハードウェア実装モジュールとして構成することができる。したがって、ソフトウェアは、例えば一時点において特定のハードウェア実装モジュールを構築し、異なる時点において異なるハードウェア実装モジュールを構築するようにプロセッサを構成することができる。
【０１３４】
ハードウェア実装モジュールは、他のハードウェア実装モジュールに情報を提供し、そこから情報を受信することができる。したがって、説明されるハードウェア実装モジュールは通信可能に結合されているとみなすことができる。そのようなハードウェア実装モジュールのうちの複数が同時に存在する場合、通信はハードウェア実装モジュールを接続する信号送信（例えば、適切な回路及びバスを介する）を通じて達成することができる。複数のハードウェア実装モジュールが異なる時点において構成又はインスタンス化される実施形態において、そのようなハードウェア実装モジュール間の通信は、例えば、複数のハードウェア実装モジュールがアクセスを有するメモリ構造における情報の記憶及び検索を通じて達成することができる。例えば、１つのハードウェア実装モジュールは、動作を実行し、そのハードウェア実装モジュールが通信可能に結合されているメモリデバイスに、その動作の出力を記憶することができる。次に、更なるハードウェア実装モジュールが、後の時点において、メモリデバイスにアクセスして、記憶された出力を検索し、処理することができる。ハードウェア実装モジュールは、入力デバイス又は出力デバイスとの通信を開始することもでき、リソース（例えば情報の集合体）に対し動作することができる。
【０１３５】
本明細書において説明された例示的な方法の様々な動作は、（例えばソフトウェアによって）一時的に構成されるか又は関連動作を実行するように恒久的に構成される１つ以上のプロセッサによって少なくとも部分的に実行することができる。そのようなプロセッサは、一時的に構成されようと、恒久的に構成されようと、１つ以上の動作又は機能を実行するように動作するプロセッサ実装モジュールを構築することができる。本明細書において言及されるモジュールは、幾つか例示的な実施形態において、プロセッサ実装モジュールを備えることができる。
【０１３６】
同様に、本明細書において説明される方法は、少なくとも部分的にプロセッサにより実装することができる。例えば、方法の動作のうちの少なくとも幾つかは、１つ以上のプロセッサにより実装されるモジュールによって実行することができる。動作のうちの幾つかの実行は、単一の機械内に常駐するのみでなく複数の機械にわたって展開される１つ以上のプロセッサ間で分散させることができる。幾つかの例示的な実施形態では、１つ以上のプロセッサは単一のロケーションに（例えば自宅環境内、オフィス環境内又はサーバファームとして）位置することができる一方、他の実施形態では、プロセッサは複数のロケーションにわたって分散させることができる。
【０１３７】
１つ以上のプロセッサは、「クラウドコンピューティング」環境内に又は「サービス型ソフトウェア」（ＳａａＳ）として関連動作の実行をサポートするように動作することもできる。例えば、（プロセッサを含む機械の例としての）コンピュータ群によって、動作のうちの少なくとも幾つかを実行することができ、これらの動作は、ネットワーク（例えばインタネット）及び１つ以上の適切なインタフェース（例えばアプリケーションプログラムインタフェース（ＡＰＩ））を介してアクセス可能である。
【０１３８】
（電子装置及びシステム）
例示的な実施形態は、デジタル電子回路部、又はコンピュータハードウェア、ファームウェア、ソフトウェア、若しくはそれらの組み合わせにおいて実施することができる。例示的な実施形態は、コンピュータプログラム製品、例えば、情報担体内に有形に具現化されたコンピュータプログラムを用いて実装することができる。情報担体は例えば、データ処理装置、例えばプログラマブルプロセッサ、コンピュータ、又は複数のコンピュータによる実行のための、又はそれらの動作を制御するための機械可読媒体である。
【０１３９】
コンピュータプログラムは、コンパイラ言語又はインタプリタ言語を含む任意の形態のプログラミング言語で書くことができ、スタンドアロンプログラムとして、又はモジュール、サブルーチン、若しくは計算環境において用いるのに適した他のユニットとして、を含む任意の形態で展開することができる。コンピュータプログラムは、１つの場所にあるか又は複数の場所に分散して通信ネットワークによって相互接続される１つ以上のコンピュータ上で実行されるように展開することができる。
【０１４０】
例示的な実施形態において、動作は、１つ以上のプログラマブルプロセッサが、入力データに対し動作し、出力を生成することによって機能を実行するようにコンピュータプログラムを実行することによって行うことができる。また、方法の動作は、専用論理回路部、例えばフィールドプログラマブルゲートアレイ（ＦＰＧＡ）又は特定用途向け集積回路（ＡＳＩＣ）によって実行することができ、例示的な実施形態の装置をそれらの専用論理回路部として実装することもできる。
【０１４１】
計算システムは、クライアント及びサーバを備えることができる。クライアント及びサーバは一般に、互いから遠隔にあり、通常、通信ネットワークを通じてインタラクトする。クライアント及びサーバの関係は、それぞれのコンピュータ上で実行され、互いに対しクライアント−サーバ関係を有するコンピュータプログラムによって生じる。プログラマブル計算システムを展開する実施形態において、ハードウェアアーキテクチャ及びソフトウェアアーキテクチャの双方が検討を要することが理解されよう。特に、恒久的に構成されたハードウェア（例えばＡＳＩＣ）、一時的に構成されたハードウェア（例えばソフトウェア及びプログラマブルプロセッサの組み合わせ）、又は恒久的に構成されたハードウェア及び一時的に構成されたハードウェアの組み合わせにおいて或る特定の機能を実施するか否かの選択は、設計選択とすることができることが理解されよう。
【０１４２】
このようにして、ウェルネスプログラムのためのシステム及び方法が説明されてきた。実施形態は、特定の例示的な実施形態を参照して説明されてきたが、これらの実施形態に対し、本明細書において説明されたシステム及び方法のより広い趣旨及び範囲から逸脱することなく、様々な変更及び変形を行うことができることは明らかであろう。従って、詳細な説明及び図面は、限定の意味ではなく説明の意味とみなされるべきである。
【図１】
2016500865.tif 000003
【図２】
2016500865.tif 000004
【図３Ａ】
2016500865.tif 000005
【図３Ｂ】
2016500865.tif 000006
【図３Ｃ】
2016500865.tif 000007
【図３Ｄ】
2016500865.tif 000008
【図３Ｅ】
2016500865.tif 000009
【図３Ｆ】
2016500865.tif 000010
【図３Ｇ】
2016500865.tif 000011
【図４Ａ】
2016500865.tif 000012
【図４Ｂ】
2016500865.tif 000013
【図４Ｃ】
2016500865.tif 000014
【図５】
2016500865.tif 000015
【国際調査報告】
2016500865.tif 000016
2016500865.tif 000017
2016500865.tif 000018